(57)【要約】  アンギュラ玉軸受保持器は、外輪（２）の内径面における軌道面（２ａ）を挟んで軸方向の一方側に保持器案内面（２ｂ）を有し、他方側にカウンタボア（５）を有する。保持器（４）は、転動体（３）を保持する複数のポケット（６）を幅方向の中間に有する円筒状である。保持器（４）の外周面における外輪（２）の案内面（２ｂ）で案内される被案内面部（４ａ）よりも軸方向の外側に延出する重量増大部（７）を有する。この重量増大部（７）の外周面は、被案内面部（４ａ）よりも外輪（２）の内径面から離間した逃がし面（７ａ）を構成する。
2018199285.tif 000002
【特許請求の範囲】
【請求項１】
外輪の内径面における軌道面を挟む軸受の軸方向の一方側に保持器を案内する案内面を有し、他方側にカウンタボアを有するアンギュラ玉軸受の保持器であって、
前記保持器は、円筒状であり、
前記保持器における軸方向の中間に形成され、前記軸受の転動体を保持する複数のポケットと、
前記保持器の外周面における前記外輪の前記案内面で案内される被案内面部と、
前記被案内面部から前記軸方向の外側に延びる重量増大部と、
前記重量増大部の外周面に形成され、前記被案内面部よりも前記外輪の内径面から離間した逃がし面と、を備えたアンギュラ玉軸受保持器。
【請求項２】
請求項１に記載のアンギュラ玉軸受保持器において、前記逃がし面が、保持器幅面に向かって前記外輪の内径面から離れるテーパ状であるアンギュラ玉軸受保持器。
【請求項３】
請求項１または２に記載のアンギュラ玉軸受保持器において、前記重量増大部の内周面が、前記被案内面部を構成する保持器幅方向部分の内周面より内径側に膨出しているアンギュラ玉軸受保持器。
【請求項４】
請求項１から３のいずれか１項に記載のアンギュラ玉軸受保持器において、前記カウンタボア側における前記保持器の内周面が、ポケット形成部分から前記軸方向の外側に向かって内径側に膨出しているアンギュラ玉軸受保持器。
【請求項５】
請求項１から４のいずれか１項に記載のアンギュラ玉軸受保持器において、前記保持器におけるカウンタボア側の外径面に、前記外輪に向かって径方向外側に突出する凸部が形成され、
前記凸部の外径面に、前記外輪の内径面との案内をサポートするストレート面部が形成されているアンギュラ玉軸受保持器。
【請求項６】
請求項５に記載のアンギュラ玉軸受保持器において、前記ストレート面部と前記外輪の内径面との径方向隙間が、前記被案内面と前記外輪の内径面との径方向隙間よりも大きく、且つ前記被案内面と前記外輪の内径面との径方向隙間の２倍以下に設定されているアンギュラ玉軸受保持器。
【請求項７】
請求項５または６に記載のアンギュラ玉軸受保持器において、前記被案内面部の軸方向長さが前記ストレート面部の軸方向長さと同じに設定され、保持器における案内側の体積がカウンタボア側の体積と同じに設定されているアンギュラ玉軸受保持器。
【請求項８】
請求項５から７のいずれか１項に記載のアンギュラ玉軸受保持器において、前記凸部は周方向に離間して複数設けられているアンギュラ玉軸受保持器。
【請求項９】
外輪の内径面における軌道面を挟む軸受の軸方向の一方側に保持器を案内する案内面を有し、他方側にカウンタボアを有するアンギュラ玉軸受であって、
請求項１から請求項８のいずれか１項に記載の保持器を備えたアンギュラ玉軸受。
【発明の詳細な説明】
【関連出願】
【０００１】
この出願は、２０１７年４月２８日出願の特願２０１７−０８９１７３の優先権を主張するものであり、その全体を参照により本願の一部をなすものとして引用する。
【技術分野】
【０００２】
この発明は、工作機械主軸用軸受やその他の機器に用いられるアンギュラ玉軸およびその保持器に関する。
【背景技術】
【０００３】
工作機械主軸用アンギュラ玉軸受は、安定して高速回転することが要求される。その軸受の潤滑にはエアオイル潤滑やオイルミスト潤滑、グリース潤滑が使用される。図９は、比較的よく使用されるエアオイル潤滑の軸受を示す。図９に示すように、エアオイル潤滑の軸受では、保持器４Ａは外輪２に案内される方式のものが多い（例えば、特許文献１）。
【先行技術文献】
【特許文献】
【０００４】
【特許文献１】特開２０１１−１３２９９９号公報
【発明の概要】
【発明が解決しようとする課題】
【０００５】
図９に示すような外輪案内方式の保持器４Ａの場合、保持器４Ａは小さく触れ回りながら回転をしている。潤滑油が極端に少なく、希薄な場合、外輪内径面における保持器外径面を案内する案内面２ｂに大きな摩擦力が発生し、保持器４Ａが激しく触れ回ることがある。その振れ回りによって、保持器４Ａの外径面と外輪２の内径面の接触が強くなり、軸受の異音発生に至ることがある。【０００６】
この発明の目的は、高速性を保ちつつ、保持器の激しい振れ回りを抑え、異音を軽減することができるアンギュラ玉軸受保持器およびアンギュラ玉軸受を提供することである。
【課題を解決するための手段】
【０００７】
この発明のアンギュラ玉軸受保持器は、外輪の内径面における軌道面を挟む軸受の軸方向の一方側に保持器を案内する案内面を有し、他方側にカウンタボアを有するアンギュラ玉軸受の保持器であって、前記保持器は円筒状であり、前記保持器における軸方向の中間に形成されて前記軸受の転動体を保持する複数のポケットと、前記保持器の外周面における前記外輪の前記案内面で案内される被案内面部と、前記被案内面部から前記軸方向の外側に延びる重量増大部と、前記重量増大部の外周面に形成されて前記被案内面部よりも前記外輪の内径面から離間した逃がし面とを備えている。【０００８】
この構成によると、被案内面部よりも前記軸方向の外側に延びる重量増大部を有することで保持器全体の重量が増える。そのため、外輪内径面と保持器外径面との接触で発生する大きな摩擦力に起因する保持器の激しい振れ回りが抑えられ、異音を防ぐことができる。保持器における外輪カウンタボア側の部分は、内外輪のいずれにも案内されないので、カウンタボア側部分の重量を増大させても振れ回りを抑制する効果は期待できない。上記構成では、案内面側の重量を増やしているので、振れ回りを抑制する効果を実現できる。【０００９】
また、保持器の重量増大部の外径面が、被案内面部よりも外輪の内径面から離間した逃がし面を構成しているので、保持器の幅（軸方向寸法）が大きくなる。これにより、潤滑油の流動性が向上し、軸受の発熱を防止することができる。その結果、より高速な運転が可能となる。また、外輪内径面と保持器外径面との案内に関する構成の変更はなく、保持器のポケット部分についても寸法変更がないので、上記構成の保持器を既存の軸受に容易に適用できる。【００１０】
この発明のアンギュラ玉軸受保持器において、前記逃がし面が、保持器幅面に向かって前記外輪の内径面から離れるテーパ状であってもよい。また、逃がし面は、保持器幅面に向かって段階的に前記外輪の内径面から離れる段差形状であってもよい。逃がし面がテーパ状であると、潤滑油の良好な流れを確保しながら、重量増大部を大きくして保持器重量を増やすことができる。また、テーパ状であると段差形状と場合と異なり、保持器の振れ回りがあっても応力集中が生じ難く保持器強度にも優れる。【００１１】
この発明のアンギュラ玉軸受保持器において、前記重量増大部の内周面が、前記被案内面部を構成する保持器幅方向部分の内周面よりも内径側に膨出していてもよい。この構成によれば、重量増大部の形成によって軸方向だけでなく、径方向にも寸法を大きくできる。これにより、保持器の重量をさらに大きくすることができるので、重量の増加による振れ回り抑制の効果が向上する。【００１２】
この発明のアンギュラ玉軸受保持器において、前記カウンタボア側における前記保持器の内周面が、ポケット形成部分から前記軸方向の外側に向かって内径側に膨出していてもよい。ここで、「ポケット形成部分」とは、保持器におけるポケットが形成された軸方向範囲の部分をいう。この構成によれば、保持器における外輪の内径面で案内されない側においても、寸法増大により重量が増加する。これにより、案内される側との重量バランスが向上し、触れ回りをより安定して抑えることができる。カウンタボア側におけるポケットよりも幅面側の部分の軸方向寸法は、強度設計上で必要な寸法よりも大きくしてもよい。これにより、重量がさらに増加し、重量バランスをより一層向上させることができる。【００１３】
この発明のアンギュラ玉軸受保持器において、前記保持器におけるカウンタボア側の外径面に、前記外輪に向かって径方向外側に突出する凸部が形成され、前記凸部の外径面に、前記外輪の内径面との案内をサポートするストレート面部が形成されていてもよい。【００１４】
図９の従来の軸受では、希薄潤滑や異物浸入により、保持器の触れ回りや傾きが起こることがある。このような触れ回り、傾きが起こると、保持器が変形する恐れがある。この構成によれば、凸部が設けられているので、保持器の重量が増え、保持器の剛性も高くなる。その結果、保持器の変形を抑制できる。【００１５】
前記ストレート面部が設けられる場合、前記ストレート面部と前記外輪の内径面との径方向隙間が、前記被案内面と前記外輪の内径面との径方向隙間よりも大きく、且つ前記被案内面と前記外輪の内径面との径方向隙間の２倍以下に設定されていてもよい。この構成によれば、保持器の案内側とカウンタボア側とでバランスがとれるので、保持器の触れ回りや傾きを抑制することができる。【００１６】
前記ストレート面部が設けられる場合、前記被案内面部の軸方向長さが前記ストレート面部の軸方向長さと同じに設定され、保持器における案内側の体積がカウンタボア側の体積と同じに設定されていてもよい。この構成によれば、保持器の案内側とカウンタボア側とでバランスがとれるので、保持器の触れ回りや傾きを抑制することができる。【００１７】
前記凸部が設けられる場合、前記凸部は周方向に離間して複数設けられていてもよい。この構成によれば、カウンタボア側において、外輪と保持器との接触面積が大きくなるのを抑制できる。その結果、軸受の発熱や軸受空間内に熱がこもるのを抑制できる。【００１８】
この発明のアンギュラ玉軸受は、外輪の内径面における軌道面を挟む軸受の軸方向の一方側に保持器を案内する案内面を有し、他方側にカウンタボアを有するアンギュラ玉軸受であって、この発明の保持器を備えている。この構成のアンギュラ玉軸受によると、この発明のアンギュラ玉軸受保持器と同様の作用、効果が得られる。【００１９】
請求の範囲および／または明細書および／または図面に開示された少なくとも２つの構成のどのような組合せも、この発明に含まれる。特に、請求の範囲の各請求項の２つ以上のどのような組合せも、この発明に含まれる。
【図面の簡単な説明】
【００２０】
本発明は、添付の図面を参考にした以下の好適な実施形態の説明からより明瞭に理解されるであろう。しかしながら、実施形態および図面は単なる図示および説明のためのものであり、本発明の範囲を定めるために利用されるべきものではない。本発明の範囲は添付の請求の範囲によって定まる。添付図面において、複数の図面における同一の部品番号は、同一または相当部分を示す。
【図１】この発明の第１実施形態に係るアンギュラ玉軸受の部分断面図である。
【図２】同アンギュラ玉軸受と従来のアンギュラ玉軸受とを対比して示す説明図である。
【図３】同アンギュラ玉軸受とノズル付き外輪間座とを示す断面図である。
【図４】外輪両肩案内アンギュラ玉軸受である。
【図５】この発明の第２実施形態に係るアンギュラ玉軸受の部分断面図である。
【図６】同アンギュラ玉軸受と従来のアンギュラ玉軸受とを対比して示す説明図である。
【図７】同アンギュラ玉軸受の保持器をカウンダボア側から見た正面図である。
【図８】同保持器を示す斜視図である。
【図９】従来例の断面図である。
【発明を実施するための形態】
【００２１】
この発明の第１実施形態を図１〜図３と共に説明する。このアンギュラ玉軸受は、内輪１と外輪２との間に複数の転動体３が介在し、これら転動体３が保持器４で保持されている。転動体３は、例えば、ボールである。内輪１の軌道面１ａと外輪２の軌道面２ａは、接触角θが生じるように形成されている。外輪２の内径面は、軌道面２ａを挟んで軸受の軸方向Ｃの一方側（図１の左側）の部分に、保持器４を案内する案内面２ｂが形成され、他方側（図１の右側）にカウンタボア５が形成されている。
【００２２】
保持器４は、円筒状である。保持器４の軸心は、軸受の軸方向Ｃに平行である。保持器４の軸方向Ｃの中間部分に、各転動体３を保持する複数のポケット６が形成されている。ポケット６は、保持器４の周方向に等間隔に離間して配置されている。ポケット６は、例えば、径方向に延びる円筒面状である。保持器４は、例えば、積層型フェノール樹脂等の樹脂の削り出し品である。ただし、保持器４の材質は、これに限定されず、金属製、チタン合金製であってもよい。以下の説明において、軸方向Ｃを保持器４の幅方向ということがある。
【００２３】
この実施形態では、保持器４における外輪２の案内面２ｂ側に、重量増大部７が設けられている。また、保持器４における外輪２のカウンタボア５側に、重量バランス部８が設けられている。保持器４の外周面に、外輪２の案内面２ｂで案内される被案内面部４ａが形成されている。図１では、被案内面部４ａが構成する保持器幅方向部分を範囲ａで示している。重量増大部７は、この被案内面部４ａよりも幅方向（軸方向Ｃ）の外側に延出している部分である。重量増大部７の外周面は、被案内面部４ａよりも外輪２の内径面から離間した逃がし面７ａを構成している。逃がし面７ａの形状は、保持器４の幅面４ｂ（図１の左側の端面）に向かって外輪２の内径面から離れるテーパ状である。
【００２４】
また、重量増大部７は、保持器幅方向部分ａよりも内径側に膨らむ断面形状を有している。換言すれば、重量増大部７の内周面は、保持器幅方向部分ａの内周面よりも内径側に膨出している。この実施形態では、重量増大部７の内周面が、保持器幅方向部分ａから保持器４の幅面４ｂ（図１の左側の端面）に向かって徐々に内径側に膨出している。これにより、図９の保持器４Ａよりも、幅方向および径方向に断面寸法が大きくなっている。図２に比較のために、両保持器４，４Ａの両方が重ねて図示されている。重量増大部７の内周面の断面形状は、保持器４の幅面４ｂに向かって徐々に小径となるテーパ状である。
【００２５】
重量バランス部８は、保持器４におけるポケット６よりも幅面４ｃ側（図１の右側）の部分であって、幅方向寸法を強度設計上で必要な寸法よりも大きくした部分である。詳細には、重量バランス部８は、保持器４における外輪２のカウンタボア５側で、かつポケット６よりも幅面４ｃ（図１の右側の端面）側の部分である。重量バランス部８は、保持器４のポケット形成部分から幅方向の外側（図１の右側）に向かって内径側に膨出している。ここで、「ポケット形成部分」とは、保持器４におけるポケット６が形成された幅方向（軸方向Ｃ）の範囲の部分をいう。
【００２６】
重量バランス部８の内径面は、ポケット形成部分から幅面４ｃ（図１の右側の端面）に向かって内径側に傾斜し、保持器幅方向（軸方向Ｃ）の中間部分の小径部８ａで最も小径となり、小径部８ａから幅面４ｃ（図１の右側の端面）に向かって外径側に傾斜している。
【００２７】
この実施形態のアンギュラ玉軸受の潤滑形式は、エアオイル潤滑である。その一例を図３に示す。図３に示すように、ノズル付き外輪間座１０に設けられたノズル１１が、外輪２の案内面２ｂ側における内輪１と保持器４との間に挿入し、ノズル孔１１ａからエアオイルが吐出される。
【００２８】
この構成によると、保持器４が、被案内面部４ａよりも幅方向の外側（図１の左側）に延びる重量増大部７を有しているので、保持器全体の重量が増える。そのため、外輪２の案内面２ｂにおける保持器外径面との接触で発生する大きな摩擦力に起因する保持器４の激しい振れ回りが抑えられ、異音を防ぐことができる。保持器４における外輪２のカウンタボア５側（図１の右側）の部分は、内外輪１，２のいずれにも案内されない。そのため、カウンタボア側部分の重量を増大させても、振れ回りを抑制する効果は期待できないが、上記構成では、案内面２ｂ側（図１の左側）の重量が増加しているので、振れ回りを抑制する効果が得られる。
【００２９】
また、保持器４の重量増大部７の外径面が、被案内面部４ａよりも外輪２の内径面から離間した逃がし面７ａである。これにより、保持器の幅方向寸法が大きくなって、潤滑油の流動性が向上し、軸受の発熱を防止することができる。そのため、軸受のより高速な運転が可能となる。また、外輪２の案内面２ｂによる保持器４の案内についての構成の変更はなく、保持器４のポケット６の形成箇所についての寸法変更もないので、この実施形態の保持器４を既存の軸受に容易に適用できる。
【００３０】
なお、重量増大部７の幅方向（軸方向Ｃ）寸法は、内外輪１，２の幅面から突出しない幅方向寸法であればよい。具体的には、保持器４の幅面４ｂ、４ｃが内外輪１，２の幅面に近接する幅方向寸法であってもよく、保持器４の全体の重量増に寄与できる範囲で小さな幅方向寸法としてもよい。
【００３１】
重量増大部７の逃がし面７ａがテーパ状であるので、潤滑油の良好な流れを確保しながら、重量増大部７を大きくして保持器４の重量を増やすことができる。重量増大部７の逃がし面７ａは被案内面部４ａよりも段階的に外輪内径面から離れる段差形状であってもよいが、テーパ状であると段差形状に比べて、保持器４の振れ回りがあっても応力集中が生じ難く保持器強度にも優れる。
【００３２】
保持器４の寸法は、重量増大部７の形成によって幅方向（軸方向Ｃ）だけでなく、径方向にも大きくなっている。これにより、重量をさらに増加させることができ、重量の増加による振れ回り抑制の効果が向上する。
【００３３】
また、保持器４に重量バランス部８が設けられ、保持器４における案内されない側においても、保持器４の内周面がポケット形成部分から軸方向Ｃの外側（図１の右側）に向かって内径側に膨出している。このため、保持器４における案内されない側においても、断面寸法増大により重量が増加し、案内される側との重量バランスが向上する。これより、触れ回りを抑制する効果がより向上する。
【００３４】
上述した実施形態は、外輪片肩案内方式となっているが、図４に参考提案例として示すような外輪両肩案方式にも適用することができる。この場合、保持器４の軸方向両側に重量増大部７を設けてもよく、図１の実施形態と同様に一方側に重量増大部７を設け、他方側に重量バランス部８を設けてもよい。
【００３５】
この発明の第２実施形態を図５〜図８と共に説明する。第２実施形態では、保持器４のカウンダボア側の形状が第１実施形態と異なっている。第１実施形態と構成が同じ箇所については同一符号を付して示し、その説明は省略する。
【００３６】
第２実施形態では、保持器４におけるカウンタボア５側（図５の右側）の外径面に、外輪２に向かって径方向外側に突出する凸部２０が形成されている。凸部２０の外径面は、テーパ面部２２と、ストレート面部２４とを有している。
【００３７】
テーパ面部２２は、保持器４におけるポケット形成部分から軸方向Ｃの外側（図５の右側）に向かって外輪２の内面に近づくように延びている。つまり、テーパ面部２２は、軸方向Ｃの外側（幅面４ｃ）に向かって径方向外側に傾斜している。テーパ面部２２は、カウンタボア側の外輪２の内径面との逃がし面を構成する。
【００３８】
ストレート面部２４は、テーパ面部２２に連なっており、軸方向Ｃの外側（図５の右側）に向かって延びている。つまり、ストレート面部２４は、軸方向Ｃとほぼ平行で、カウンタボア側の外輪２の内径面と平行に延びている。ストレート面部２４は、カウンタボア５側の外輪２の内径面との径方向隙間が最も小さい部分である。このストレート面部２４により、保持器４と内径面との案内がサポートされている。
【００３９】
図６に、第２実施形態の保持器４と従来の保持器４Ａの両方が重ねて図示されている。従来の保持器４Ａが実線で示され、第２実施形態の保持器４が破線で示されている。同図より明らかなように、第２実施形態の保持器４は、従来の保持器４Ａよりも、幅方向（軸方向）および径方向に断面寸法が大きくなっている。なお、図５の保持器４と図６の破線の保持器４は異なる断面である。具体的には、図５の保持器４は図７のV−V線に沿った断面で、図６の破線の保持器４は図７のVI−VI線に沿った断面である。
【００４０】
被案内面４ａと外輪２の内径面との径方向隙間をδａ，ストレート面部２４とカウンタボア５側の外輪２の内径面との径方向隙間をδｂとする。この場合、δｂは、δａよりも大きく、δａの２倍以下であることが好ましい（δａ＜δｂ≦２δａ）。
【００４１】
反カウンタボア側（図５の左側）の被案内面部４ａの軸方向長さをＡ１とし、カウンタボア側（図５の右側）のストレート面部２４の軸方向長さをＡ２とする。この場合、Ａ１とＡ２は同じであることが好ましい（Ａ１=Ａ２）。また、保持器４における反カウンタボア側（案内側）の体積をＶ１とし、保持器４におけるカウンタボア側の体積をＶ２とする。この場合、Ｖ１とＶ２は同じであることが好ましい（Ｖ１=Ｖ２）。
【００４２】
図７に示すように、凸部２０は周方向に離間して複数設けられている。換言すれば、保持器４の外周面における隣接する凸部２０の間に、凸部のない保持器外周面２５が形成されおり、凸部２０と保持器外周面２５が周方向に交互に配置されている。
【００４３】
詳細には、図８に示すように、凸部２０は、ポケット６の１つおきに形成されている。つまり、凸部のない保持器外周面２５が形成されるポケット６に隣接する２つのポケット６の領域に、凸部２０が形成されている。同様に、凸部２０が形成されるポケット６に隣接する２つのポケット６の領域に、凸部のない保持器外周面２５が形成されている。
【００４４】
第２実施形態によれば、保持器４におけるカウンタボア側の外径面に凸部２０が形成されているので、図６に示すように、従来の保持器４Ａよりも、保持器４の幅方向および径方向に断面寸法が大きい。したがって、保持器４の重量が増え、保持器４の剛性も高くなる。その結果、保持器４が変形するのを抑制することができる。
【００４５】
また、ストレート面部２４と外輪２の内径面との径方向隙間δｂが、被案内面４ａと外輪２の内径面との径方向隙間δａよりも大きく、且つ径方向隙間δａの２倍以下に設定されている。さらに、被案内面部４ａの軸方向長さＡ１がストレート面部２４の軸方向長さＡ２と同じに設定され、保持器における案内側の体積Ｖ１がカウンタボア側の体積Ｖ２と同じに設定されている。これにより、保持器の案内側とカウンタボア側とでバランスがとれるので、保持器の触れ回りや傾きを抑制することができる。
【００４６】
図７に示すように、凸部２０は周方向に離間して複数設けられている。これにより、カウンタボア側において、外輪２と保持器４との接触面積が大きくなるのを抑制できる。その結果、軸受の発熱や軸受空間内に熱がこもるのを抑制できる。
【００４７】
以上のとおり、図面を参照しながら好適な実施形態を説明したが、本発明は、以上の実施形態に限定されるものでなく、本発明の要旨を逸脱しない範囲内で、種々の追加、変更または削除が可能である。例えば、上述した実施形態では、外輪案内方式の保持器について説明したが、本発明は転動体案内方式の保持器にも適用することができる。したがって、そのようなものも本発明の範囲内に含まれる。
【００４８】
この発明の応用例は、逃がし面７ａを備えない保持器にも適用できる。応用例は、以下の態様１〜態様５を含む。
【００４９】
［態様１］
この発明の態様１に係る保持器は、外輪の内径面における軌道面を挟む軸受の軸方向の一方側に保持器を案内する案内面を有し、他方側にカウンタボアを有するアンギュラ玉軸受の保持器であって、
前記保持器は、円筒状であり、
前記保持器における軸方向の中間に形成され、前記軸受の転動体を保持する複数のポケットと、
前記保持器の外周面における前記外輪の前記案内面で案内される被案内面部と、
前記保持器におけるカウンタボア側の外径面に形成されて前記外輪に向かって径方向外側に突出する凸部と、
前記凸部の外径面に形成されて前記外輪の内径面との案内をサポートするストレート面部とを備えている。
【００５０】
従来の軸受では、希薄潤滑や異物浸入により、保持器の触れ回りや傾きが起こることがある。このような触れ回り、傾きが起こると、保持器が変形する恐れがある。この構成によれば、凸部が設けられているので、保持器の重量が増え、保持器の剛性も高くなる。その結果、保持器の変形を抑制できる。
【００５１】
［態様２］
態様１において、前記ストレート面部と前記外輪の内径面との径方向隙間が、前記被案内面と前記外輪の内径面との径方向隙間よりも大きく、且つ前記被案内面と前記外輪の内径面との径方向隙間の２倍以下に設定されていてもよい。この構成によれば、保持器の案内側とカウンタボア側とでバランスがとれるので、保持器の触れ回りや傾きを抑制することができる。
【００５２】
［態様３］
態様１または２において、前記被案内面部の軸方向長さが前記ストレート面部の軸方向長さと同じに設定され、保持器における案内側の体積がカウンタボア側の体積と同じに設定されていてもよい。この構成によれば、保持器の案内側とカウンタボア側とでバランスがとれるので、保持器の触れ回りや傾きを抑制することができる。
【００５３】
［態様４］
態様１から３のいずれか１つにおいて、前記凸部は周方向に離間して複数設けられていてもよい。この構成によれば、カウンタボア側において、外輪と保持器との接触面積が大きくなるのを抑制できる。その結果、軸受の発熱や軸受空間内に熱がこもるのを抑制できる。
【００５４】
［態様５］
態様５のアンギュラ玉軸受は、外輪の内径面における軌道面を挟む軸受の軸方向の一方側に保持器を案内する案内面を有し、他方側にカウンタボアを有するアンギュラ玉軸受であって、態様１〜４のいずれか１つの保持器を備えている。この構成のアンギュラ玉軸受によると、態様１〜４のアンギュラ玉軸受保持器と同様の作用、効果が得られる。
【符号の説明】
【００５５】
１  内輪
１ａ  軌道面
２  外輪
２ａ  軌道面
２ｂ  案内面
３  転動体
４  保持器
４ａ  被案内面
５  カウンタボア
６  ポケット
７  重量増大部
７ａ  逃がし面
８  重量バランス部
１０  外輪間座
１１  ノズル
２０  凸部
２４  ストレート面部
Ａ１  被案内面部の軸方向長さ
Ａ２  ストレート面部の軸方向長さ
Ｖ１  保持器の案内側の体積
Ｖ２  保持器のカウンタボア側の体積
δａ  被案内面と外輪の内径面との径方向隙間
δｂ  ストレート面部と外輪の内径面との径方向隙間
【図１】
2018199285.tif 000003
【図２】
2018199285.tif 000004
【図３】
2018199285.tif 000005
【図４】
2018199285.tif 000006
【図５】
2018199285.tif 000007
【図６】
2018199285.tif 000008
【図７】
2018199285.tif 000009
【図８】
2018199285.tif 000010
【図９】
2018199285.tif 000011
【国際調査報告】
2018199285.tif 000012
2018199285.tif 000013
2018199285.tif 000014
2018199285.tif 000015